(57)【特許請求の範囲】
【請求項１】
挿入部の先端に設けられた先端部本体と、
外周面より突出する凸部を備え、内部に光学部材を保持するとともに当該光学部材を前記先端部本体に取付けるための筒状の光学枠部材と、
前記先端部本体に形成され、前記光学枠部材を挿入するための所定の深さを有する孔部と、
前記孔部の内面に沿って形成され、前記凸部を挿通するための溝部と、
前記溝部の端部に設けられ、前記孔部に挿入された前記光学枠部材を回転させることによって前記凸部を係止する係止部と、
を具備したことを特徴とする内視鏡装置。
【請求項２】
挿入部の先端に設けられた先端部本体と、
外周面より突出する凸部を備え、内部に光学部材を保持するとともに当該光学部材を前記先端部本体に取付けるための筒状の光学枠部材と、
前記先端部本体に形成され、前記光学枠部材を挿入するための所定の深さを有する孔部と、
前記孔部の内面に沿って螺旋状に形成され、前記凸部を挿通するとともに、前記光学枠部材の軸方向の移動を規制する壁面を備えた溝部と、
を具備したことを特徴とする内視鏡装置。
【請求項３】
挿入部の先端に設けられた先端部本体と、
内部に第１の光学部材を保持するとともに、当該第１の光学部材を前記先端部本体に取付けるために形成された筒状の第１の光学枠部材と、
内部に第２の光学部材を保持するとともに、当該第２の光学部材を前記先端部本体に取付けるために形成された筒状の第２の光学枠部材と、
前記先端部本体に形成され、前記第１の光学枠部材及び第２の光学枠部材を挿入するための所定の深さを有する孔部と、
前記第１の光学枠部材及び第２の光学枠部材に設けられ、前記孔部に挿入された前記第１の光学枠部材及び第２の光学枠部材とを係合により互いに連結するとともに独立して軸方向に移動するのを規制する連結手段と、
連結された前記第１の光学枠部材及び第２の光学枠部材を前記先端部本体に係止する係止手段と、
を具備したことを特徴とする内視鏡装置。
【請求項４】
挿入部の先端に設けられた先端部本体と、
内部に第１の光学部材を保持するとともに、当該第１の光学部材を前記先端部本体に取付けるために形成された筒状の第１の光学枠部材と、
内部に第２の光学部材を保持するとともに、当該第２の光学部材を前記先端部本体に取付けるために形成された筒状の第２の光学枠部材と、
前記先端部本体に形成され、前記第１の光学枠部材及び第２の光学枠部材を挿入するための所定の深さを有する孔部と、
前記孔部に挿入された前記第１の光学枠部材及び第２の光学枠部材を螺合により連結させる連結手段と、
前記第１の光学枠部材及び第２の光学枠部材の少なくとも一方に設けられ、連結された前記第１の光学枠部材及び第２の光学枠部材を前記先端部本体に対する軸方向の移動を規制する規制手段を有する係止部と、
を具備したことを特徴とする内視鏡装置。
【請求項５】
挿入部の先端に設けられた先端部本体と、
内部に第１の光学部材を保持するとともに、前記先端部本体に係止される凸部を備えた筒状の第１の光学枠部材と、
内部に第２の光学部材を備え、前記第１の光学枠部材の先端側もしくは基端側で前記第１の光学枠部材と前記先端部本体の係止状態を保持するとともに、前記先端部本体に係止される第２の光学枠部材と、
を具備したことを特徴とする内視鏡装置。
【請求項６】
挿入部の先端に設けられた先端部本体と、
内部に光学部材を保持するとともに、当該光学部材を前記先端部本体に取付けるために形成された筒状の光学枠部材と、
前記光学枠部材の外周面に設けられた溝部と、
前記光学枠部材を挿入に応じて径方向に弾性変形可能であるとともに前記溝部に係止する係止部を備え、前記先端部本体に形成された孔部と、
前記先端部本体に対して着脱可能に設けられ、前記溝部に係止される前記係止部の係止を保持するとともに前記係止部の変形を規制する規制手段と、
を具備したことを特徴とする内視鏡装置。
【請求項７】
挿入部の先端に設けられた先端部本体と、
内部に第１の光学部材を保持するとともに、当該第１の光学部材を前記先端部本体に取付けるために形成された筒状の第１の光学枠部材と、
前記第１の光学枠部材の外面から内面にかけて貫通した穴部と、
内部に第２の光学部材を保持するとともに、当該第２の光学部材を前記先端部本体に取付けるために形成された筒状の第２の光学枠部材と、
前記第２の光学枠部材の外面に突設された凸部と、
前記先端部本体に形成され、前記第１の光学枠部材及び第２の光学枠部材を挿入するための所定の深さを有する孔部と、
前記穴部に係止される第１の係止部及び前記凸部に係止される第２の係止部を備え、前記孔部に挿入された前記第１の光学枠部材及び第２の光学枠部材を前記先端部本体に係止する係止手段と、
を具備したことを特徴とする内視鏡装置。
【発明の詳細な説明】
【０００１】
【発明の属する技術分野】
この発明は、挿入部の先端部に設けられた先端部本体に対する光学枠部材の固定構造を改良した内視鏡に関する。
【０００２】
【従来の技術】
内視鏡の挿入部の先端部に設けられた先端部本体には軸方向に複数の取付け孔が設けられ、これら取付け孔には撮像光学系、照明光学系、処置具挿通用チャンネルおよび送気送水用管路等が挿入された状態で固定されている。
【０００３】
例えば、実公平６−４２６４２号公報は、先端部本体に対して固定される被固定部材の固定構造を示すもので、前記取付け孔に対して略直角方向にねじ穴を設け、このねじ穴に先端部が円錐状の尖り先ねじを螺合し、前記被固定部材の外周面に尖り先ねじの円錐部を当接して固定したものである。
【０００４】
このように円錐状の尖り先ねじを用いることによって、平先ねじを用いた場合より、省スペースで被固定部材を固定でき、先端部本体を細径化を図ったものである。また、ねじで固定しているために、修理時には尖り先ねじを緩めることにより、被固定部材を取り外すことができ、修理の容易化を図ったものである。
【０００５】
【発明が解決しようとする課題】
しかしながら、前述した実公平６−４２６４２号公報のように、照明光学系としての照明レンズ枠やライトガイド口金と先端部本体との固定を先端部本体のねじ穴に螺合したねじを照明レンズ枠やライトガイド口金の外周面に圧接させる構成ではねじの部品費がかかる。先端部本体へのねじ穴の加工工数がかかり高価となる。さらに、先端部本体にねじを配設するスペースが必要なため先端部本体が太径となる。
【０００６】
また、体腔内との絶縁のためや先端部本体を安価にするために先端部本体を樹脂によって形成したものにおいては、先端部本体とねじとの脱着を行うとねじ穴が潰れてしまうため、照明レンズやライトガイドが破損した場合、これらを交換する際には先端部本体も一緒に交換する必要があった。このため、先端部本体に接続固定されている送気管路、送水管路や吸引管路等も同時に交換することになり修理費が非常に高価である。
【０００７】
照明レンズ枠やライトガイド口金と先端部本体とを接着によって固定する構成では先端部本体は安価となり細径となるが、先端部本体との脱着作業が困難である。また、取り外しの作業により照明レンズ及び照明レンズ枠やライトガイド及びライトガイド枠が破損する。このため、先端部本体が破損した場合、これを交換する際には高価な照明レンズやライトガイドも同時に交換することとなり修理費が非常に高価である。
【０００８】
また、先端部本体を樹脂によって形成したものにおいては、照明レンズやライトガイドの交換の際には、先端部本体が照明レンズ枠及びライトガイド枠の取り外しの作業により破損するため、前述と同様の不都合があり、修理費が非常に高価である。
【０００９】
また、これらの不都合をなくすため、接着力の弱い接着剤を使用した構成では照明レンズ枠やライトガイド口金が先端部本体から外れ、照明不能、観察不能の虞もある。
【００１０】
この発明は、前記事情に着目してなされたもので、その目的とするところは、先端部本体を細径化でき、体腔内等への挿入性を向上できると共に、修理も容易に安価にできる内視鏡装置を提供することにある。
【００１１】
【課題を解決するための手段】
この発明は、前記目的を達成するために、請求項１は、挿入部の先端に設けられた先端部本体と、
外周面より突出する凸部を備え、内部に光学部材を保持するとともに当該光学部材を前記先端部本体に取付けるための筒状の光学枠部材と、
前記先端部本体に形成され、前記光学枠部材を挿入するための所定の深さを有する孔部と、
前記孔部の内面に沿って形成され、前記凸部を挿通するための溝部と、
前記溝部の端部に設けられ、前記孔部に挿入された前記光学枠部材を回転させることによって前記凸部を係止する係止部と、
を具備したことを特徴とする内視鏡装置にある。
請求項２は、挿入部の先端に設けられた先端部本体と、
外周面より突出する凸部を備え、内部に光学部材を保持するとともに当該光学部材を前記先端部本体に取付けるための筒状の光学枠部材と、
前記先端部本体に形成され、前記光学枠部材を挿入するための所定の深さを有する孔部と、
前記孔部の内面に沿って螺旋状に形成され、前記凸部を挿通するとともに、前記光学枠部材の軸方向の移動を規制する壁面を備えた溝部と、
を具備したことを特徴とする内視鏡装置にある。
請求項３は、挿入部の先端に設けられた先端部本体と、
内部に第１の光学部材を保持するとともに、当該第１の光学部材を前記先端部本体に取付けるために形成された筒状の第１の光学枠部材と、
内部に第２の光学部材を保持するとともに、当該第２の光学部材を前記先端部本体に取付けるために形成された筒状の第２の光学枠部材と、
前記先端部本体に形成され、前記第１の光学枠部材及び第２の光学枠部材を挿入するための所定の深さを有する孔部と、
前記第１の光学枠部材及び第２の光学枠部材に設けられ、前記孔部に挿入された前記第１の光学枠部材及び第２の光学枠部材とを係合により互いに連結するとともに独立して軸方向に移動するのを規制する連結手段と、
連結された前記第１の光学枠部材及び第２の光学枠部材を前記先端部本体に係止する係止手段と、
を具備したことを特徴とする内視鏡装置にある。
請求項４は、挿入部の先端に設けられた先端部本体と、
内部に第１の光学部材を保持するとともに、当該第１の光学部材を前記先端部本体に取付けるために形成された筒状の第１の光学枠部材と、
内部に第２の光学部材を保持するとともに、当該第２の光学部材を前記先端部本体に取付けるために形成された筒状の第２の光学枠部材と、
前記先端部本体に形成され、前記第１の光学枠部材及び第２の光学枠部材を挿入するための所定の深さを有する孔部と、
前記孔部に挿入された前記第１の光学枠部材及び第２の光学枠部材を螺合により連結させる連結手段と、
前記第１の光学枠部材及び第２の光学枠部材の少なくとも一方に設けられ、連結された前記第１の光学枠部材及び第２の光学枠部材を前記先端部本体に対する軸方向の移動を規制する規制手段を有する係止部と、
を具備したことを特徴とする内視鏡装置にある。
請求項５は、挿入部の先端に設けられた先端部本体と、
内部に第１の光学部材を保持するとともに、前記先端部本体に係止される凸部を備えた筒状の第１の光学枠部材と、
内部に第２の光学部材を備え、前記第１の光学枠部材の先端側もしくは基端側で前記第１の光学枠部材と前記先端部本体の係止状態を保持するとともに、前記先端部本体に係止される第２の光学枠部材と、
を具備したことを特徴とする内視鏡装置にある。
請求項６は、挿入部の先端に設けられた先端部本体と、
内部に光学部材を保持するとともに、当該光学部材を前記先端部本体に取付けるために形成された筒状の光学枠部材と、
前記光学枠部材の外周面に設けられた溝部と、
前記光学枠部材を挿入に応じて径方向に弾性変形可能であるとともに前記溝部に係止する係止部を備え、前記先端部本体に形成された孔部と、
前記先端部本体に対して着脱可能に設けられ、前記溝部に係止される前記係止部の係止を保持するとともに前記係止部の変形を規制する規制手段と、
を具備したことを特徴とする内視鏡装置にある。
請求項７は、挿入部の先端に設けられた先端部本体と、
内部に第１の光学部材を保持するとともに、当該第１の光学部材を前記先端部本体に取付けるために形成された筒状の第１の光学枠部材と、
前記第１の光学枠部材の外面から内面にかけて貫通した穴部と、
内部に第２の光学部材を保持するとともに、当該第２の光学部材を前記先端部本体に取付けるために形成された筒状の第２の光学枠部材と、
前記第２の光学枠部材の外面に突設された凸部と、
前記先端部本体に形成され、前記第１の光学枠部材及び第２の光学枠部材を挿入するための所定の深さを有する孔部と、
前記穴部に係止される第１の係止部及び前記凸部に係止される第２の係止部を備え、前記孔部に挿入された前記第１の光学枠部材及び第２の光学枠部材を前記先端部本体に係止する係止手段と、
を具備したことを特徴とする内視鏡装置にある。
【００１３】
【発明の実施の形態】
以下、この発明の各実施の形態を図面に基づいて説明する。
図１〜図４は第１の実施形態を示し、図１に内視鏡の挿入部の先端部１を示す。先端部１には、合成樹脂、例えばポリサルホンやエポキシ樹脂によるモールド成形により形成された先端部本体２が設けられている。先端部本体２の基端側には図示しない湾曲部との接続管１６が外嵌され、先端部本体２に図示しないピンによってピン結合されて固定されている。
【００１４】
接続管１６には湾曲部を被覆する被覆ゴム部材１５が外嵌されており、その先端部は先端部本体２に接着固定されている。先端部本体２の軸方向には単数または複数の照明レンズからなる照明光学部材３を保持する光学枠部材としての照明レンズ枠４が収納される照明レンズ枠孔部５が設けられている。照明レンズ枠孔部５の基端側には照明光学部材３に照明光を導光するためのライトガイド６の端部を保持するライトガイド口金７が収納されるライトガイド口金孔部８が設けられている。
【００１５】
ライトガイド口金孔部８の周囲にはピン孔２４ａが設けられている。また、ライトガイド口金７にはピン溝２４ｂが設けられている。そして、ピン孔２４ａ、ピン溝２４ｂにはピン２４が嵌入されており、ライトガイド口金７は先端部本体２に係止されている。ライトガイド口金孔部８の内径は照明レンズ枠孔部５の内径よりも大きく形成されており、これらの間には抜け止め部１１が設けられている。
【００１６】
図２に照明レンズ枠４を示す。この照明レンズ枠４の基端には径方向に突出する係止部としての複数の凸部１０が設けられている。照明レンズ枠４の先端には切り欠き部１４を有するフランジ部４０が設けられている。
【００１７】
図３および図４に照明レンズ枠孔部５、ライトガイド口金孔部８の断面形状を示す。照明レンズ枠孔部５には先端及びライトガイド口金孔部８へ開口した開口部１２を有する溝部９が照明レンズ枠孔部５の軸方向全長に亘って設けられている。溝部９は凸部１０が挿通可能な大きさに形成されている。凸部１０はライトガイド口金孔部８内において溝部９の開口部１２からずれた位置に配置され、先端面が抜け止め部１１に当接しており、先端側の位置を規制している。
【００１８】
照明レンズ枠４の外周と照明レンズ枠孔部５の内周の間には照明レンズ枠４及び照明レンズ枠孔部５を破壊せずにこれらの接着状態を解除可能で被着体から容易に除去可能な液状シリコン等のシール剤、または充填剤が塗布されており、照明レンズ枠４は照明レンズ枠孔部５に固定されており、照明レンズ枠４が回転して凸部１０が開口部１２に位置し、溝部９から抜けるのを防止しているフランジ部４０の基端は先端部本体２に当接しており、照明レンズ枠４の基端方向への位置を規制している。
【００１９】
次に、先端部本体２に対する照明レンズ枠４の組立て手順および取り外し手順を説明する。
照明レンズ枠４の凸部１０が抜け止め部１１によって先端側の位置が規制されているため、先端側へ照明レンズ枠４が脱落しない。照明レンズ枠４を先端部本体２に組み付ける際には先端部本体２の先端側より照明レンズ枠４を照明レンズ枠孔部５に挿入する。
【００２０】
この際、照明レンズ枠４の凸部１０を照明レンズ枠孔部５の溝部９に挿入する。凸部１０がライトガイド口金孔部８に達した所で照明レンズ枠４を回転させて凸部１０を開口部１２からずれた位置に配置する。この状態で前記シール剤を硬化させる。
【００２１】
照明レンズ枠４を先端部本体２から取り外す際には先端部本体２の先端側から照明レンズ枠４の切り欠き部１４に治具等を引っかけて照明レンズ枠４を回転させて、シール剤による接着を解除する。次に、凸部１０が開口部１２に位置するまで照明レンズ枠４を回転させた後、照明レンズ枠４を先端部本体２の先端側に引き抜くことにより、先端部本体２の照明レンズ枠孔部５から照明レンズ枠４を引き抜くことができる。
【００２２】
したがって、内視鏡を体腔内に挿入して観察中に照明レンズ枠４が先端部本体２の先端側に抜ける虞はない。また、照明レンズ枠４の先端部本体２への固定のためにねじを用いないため、先端部本体２のねじ穴の加工が不要であり、ねじが不要なため安価である。また、先端部本体２にねじを配設するスペースが不要なため、先端部本体２を細径化できるという効果がある。
【００２３】
また、照明光学部材３が破損した際には、照明レンズ枠４の先端部本体２からの取り外し及び新しい照明レンズ枠４の照明レンズ枠孔部５への挿通が照明レンズ枠孔部５の先端側から行えるため、ライトガイド口金７や被覆ゴム部材１５や、接続管１６を先端部本体２から取り外すことなく照明光学部材３の交換が行える。このため、照明光学部材３の交換作業が非常に容易であり、修理費が安価である。
【００２４】
また、照明レンズ枠４の先端部本体２への固定のために強固な接着力を有する接着剤を用いていないため、照明レンズ枠４の先端部本体２からの取り外しが容易であると共に、接着剤を先端部本体２から容易に除去することができるため、繰り返し先端部本体２を使用することができるので修理費が安価である。また、先端部本体２が破損した際には先端部本体２から照明レンズ枠４を取り外して先端部本体２を交換し、繰り返し照明レンズ枠４を使用できる。
【００２５】
本実施形態によれば、先端部本体２を細径化でき、体腔内等への挿入性が良く、また修理が簡単に行えるため修理費が安価な内視鏡装置を提供できる。
図５〜図１１は第２の実施形態を示し、第１の実施形態と同一構成部分は同一番号を付して説明を省略する。
【００２６】
第２の実施形態は、第１の実施形態における照明レンズ枠４と先端部本体２の固定をライトガイド口金７と先端部本体２の固定に適用したものである。すなわち、図５に示すように、先端部本体２には照明レンズ枠４ａが挿通される照明レンズ枠孔部５ａが設けられている。照明レンズ枠孔部５ａの基端側にはライトガイド口金７ａが嵌挿されるライトガイド口金孔部８ａが設けられている。照明レンズ枠孔部５ａの内径はライトガイド口金孔部８ａの内径よりも大きく形成されており、これらの間には抜け止め部１１ａが設けられている。
【００２７】
図６にライトガイド口金７ａを示す。ライトガイド口金７ａの先端側の外周には径方向に突出した凸部１０ａが設けられている。図７にライトガイド口金孔部８ａの断面形状を、図８に照明レンズ枠孔部５ａの断面形状を示す。ライトガイド口金孔部８ａには基端及び照明レンズ枠孔部５ａへ開口した開口部１２ａを有する溝部９ａがライトガイド口金孔部８ａの軸方向の全長に亘って設けられている。溝部９ａは凸部１０ａを挿通可能な大きさに形成されている。
【００２８】
凸部１０ａは照明レンズ枠孔部５ａ内において、溝部９ａの照明レンズ枠孔部５ａへの開口部１２ａに対してずれた位置に配置され、抜け止め部１１ａに当接しており、軸方向、基端側の位置を規制されている。また、ライトガイド口金７ａの外周とライトガイド口金孔部８ａの内周の間にはシール剤が塗布されており、ライトガイド口金孔部８ａの回転を防止している。
【００２９】
図５に示すように、先端部本体２には照明レンズ枠孔部５ａと先端部本体２の外周面を貫通するピン穴３７が設けられている。照明レンズ枠４ａのピン穴３７と対向する位置にはピン溝４７が設けられている。ポリサルホン等の樹脂にて形成されたピン部材４８はピン穴３７、ピン溝４７に嵌入されており、照明レンズ枠４ａを先端部本体２に固定している。ライトガイド口金７ａの先端は照明レンズ枠４ａの基端に当接しており先端側の位置を規制している。
【００３０】
次に、先端部本体２に対するライトガイド口金７ａの組立て手順を説明する。
抜け止め部１１ａがライトガイド口金７ａの凸部１０ａの基端側の位置を規制することにより、基端側へライトガイド口金７ａが抜けるのを防止している。ライトガイド口金７ａを先端部本体２に組み付ける際には先端部本体２の基端側より凸部１０ａを溝部９ａに挿入しながらライトガイド口金７ａをライトガイド口金孔部８ａに挿入し、凸部１０ａが照明レンズ枠孔部５ａに達した所でライトガイド口金７ａを回転させて凸部１０ａを開口部１２ａからずれた位置に配置し、この状態でシール剤を硬化させる。
【００３１】
ライトガイド口金７ａを先端部本体２から取り外す際には、ライトガイド口金７ａを回転させることによりシール剤による接着を解除する。次に凸部１０ａが開口部１２ａに位置する所までライトガイド口金７ａを回転させた後、ライトガイド口金７ａを基端側に引く抜くことにより、先端部本体２からライトガイド口金７ａを引き抜くことができる。
【００３２】
本実施形態によれば、ライトガイド口金７ａが先端部本体２の基端側に抜けて照明が不可能になることがないため、観察不能になることがなく安全である。また、第１の実施形態と同様に、ねじが不要なため安価であり、細径化できる。また、接着力の強い接着剤を用いていないため、ライトガイド口金７ａが破損した際にはライトガイド口金７ａの交換が容易であり、繰り返し先端部本体２を使用することができるため、修理費が安価である。以上により、安全で、安価で、挿入性が良く、ライトガイド６の破損の際の修理費が安価な内視鏡装置を提供できる。
【００３３】
図９〜図１１に照明レンズ枠４ａを先端部本体２から取り外す際の手順を示す。図９に示すように、前記ピン穴３７は先端部本体２の先端面へ連通している。照明レンズ枠４ａを取り外す際には、図１０に示すように、針４９をピン部材４８に刺して先端部本体２の径方向に引っ張り、ピン部材４８とピン溝４７、ピン穴３７との嵌合を外す。次に、図１１に示すように、治具５０をピン穴３７へ挿入し、照明レンズ枠４ａのピン溝４７に嵌入させた後、治具５０を先端側へ引き、照明レンズ枠４ａを先端へ引き出す。
【００３４】
以上により、容易に照明レンズ枠４ａを先端部本体２の先端側から外すことができるため、第１の実施形態と同様に照明光学部材３の破損の際の照明光学部材３及び照明レンズ枠４ａの交換作業が容易である。尚、ピン部材４８は図示しないノズルを先端部本体２に係止するピンと兼ねてもよい。
【００３５】
図１２は第３の実施形態を示し、第１の実施形態と同一構成部分は同一番号を付して説明を省略する。
第３の実施形態は、第１の実施形態における溝部９と抜け止め部１１の構成をカム溝として構成したものである、図１２に示すように、照明レンズ枠４ｂの基端側の外周には径方向に凸部１０ｂが設けられている。先端部本体２の照明レンズ枠孔部５ｂには先端側に開口部１７を有し、軸方向の変位と共に円周方向に変位するカム溝１８が設けられている。カム溝１８は凸部１０ｂの断面形状と略同一の断面形状を有し、凸部１０ｂが挿通可能な形状に形成されている。照明レンズ枠孔部５ｂには照明レンズ枠４ｂが嵌挿されており、凸部１０ｂはカム溝１８の側壁部１９に当接している。照明レンズ枠４ｂと照明レンズ枠孔部５ｂとの間には照明レンズ枠孔部５ｂの先端側からの水の侵入を防止するためのシール剤が塗布されている。
【００３６】
したがって、凸部１０ｂと側壁部１９の当接することによる摩擦力によって照明レンズ枠４ｂの移動が規制される。シール剤による接着が破壊された場合でも、通常、照明レンズ枠孔部５ｂには回転させつつ、先端側へ引くような力が作用することはないため、照明レンズ枠孔部５ｂが先端側へ抜けることがない。その他の作用は第１の実施形態と同様である。
【００３７】
本実施形態によれば、第１の実施形態の効果に加え、第１の実施形態における抜け止め部１１が不要であるため、ライトガイド口金孔部８ｂの内径を照明レンズ枠孔部５ｂの内径より大きく形成しなくて良いため、先端部本体２の外径が細径な、更に挿入性が良い内視鏡装置を提供することができる。
【００３８】
図１３および図１４は第４の実施形態を示し、第１の実施形態と同一構成部分は同一番号を付して説明を省略する。
第２の実施形態とは先端部本体２とライトガイド口金７ａの固定方法が異なる。すなわち、図１３に示すように、照明レンズ枠孔部５ｃとライトガイド口金孔部８ｃは連通しており、略同一の内径を有している。
【００３９】
ライトガイド口金孔部８ｃには先端部本体２の外周面に連通し、基端側に開口を有し、先端へ向かう溝部９ｃが設けられている。溝部９ｃの先端側には溝部９ｃと直交する方向に溝部９ｃと連通した係止溝部２０が設けられている。
【００４０】
一方、ライトガイド口金７ｃの外周には凸部１０ｃが設けられている。係止溝部２０の幅は、凸部１０ｃの幅と略同一に形成されている。凸部１０ｃは係止溝部２０に嵌入されている。ライトガイド口金孔部８ｃの内周面とライトガイド口金７ｃの外周面との間及び溝部９ｃには前述した比較的接着力の弱いシール剤が塗布されている。
【００４１】
したがって、通常、ライトガイド口金７ｃには回転方向への力は加わることがないため、ライトガイド口金７ｃはシール剤の接着力によって固定され、回転することがなく、凸部１０ｃが係止溝部２０から溝部９ｃに移動することがない。係止溝部２０は凸部１０ｃの軸方向の位置を規制しており、ライトガイド口金７ｃが先端部本体２ｃの基端側に抜けてしまうことがない。
【００４２】
本実施形態によれば、第２の実施形態の効果に加え、第２の実施形態における抜け止め部１１ａが不要なため、照明レンズ枠孔部５ｃの内径をライトガイド口金孔部８ｃの内径よりも大きく形成しなくて良いため、先端部本体２を細径化できる。このため、先端部の細径な挿入性の良い内視鏡装置を提供できる。
【００４３】
尚、この発明は、上記実施形態に限定されず、先端部本体は樹脂でなく金属で形成されていても良いし、照明レンズ枠やライトガイド口金に設けられた凸部や照明レンズ枠孔部やライトガイド枠孔部に設けられた溝部や凸部を係止する構成の数や形状は異なって良い。
【００４４】
また、第１の実施形態における照明レンズ枠４の基端方向への位置決めはフランジ部４０を先端部本体２に当接させず、照明レンズ枠４の基端とライトガイド口金７の先端とを当接しても良い。
【００４５】
また、第２の実施形態におけるライトガイド口金７ａの先端方向への位置決めは照明レンズ枠４ａと当接させずにライトガイド口金７ａの基端側に第１の実施形態の照明レンズ枠４と同様にフランンジ部を設けて先端部本体２と当接しても良い。要は光学部材を収納する光学枠部材に凸部を設け、これを収納する孔部に凸部を挿通可能な溝と凸部を係止可能な係止部を設け、凸部が係止されることにより、孔部の光学枠部材が挿入された開口から光学枠部材が抜けない構成ならば良い。
【００４６】
図１５〜図１７は第５の実施形態を示し、第１の実施形態と同一構成部分は同一番号を付して説明を省略する。照明レンズ枠４ｅの内径はライトガイド口金７ｅの外径と略同一であり、ライトガイド口金７ｅの先端側の一部が照明レンズ枠４ｅに嵌挿されている。図１６に示すように、照明レンズ枠４ｅには照明レンズ枠４ｅの内周面と外周面とを貫通し、基端側に開口を有する溝部５８が設けられている。溝部５８の先端部には溝部５８と直交する方向に溝部５８と連通した係止溝部５９が設けられている。一方、ライトガイド口金７ｅの先端部の外周には凸部１０ｅが設けられている。凸部１０ｅは係止溝部５９に嵌挿されており、照明レンズ枠４ｅとライトガイド口金７ｅは連結されると共に、互いの軸方向の位置が固定される。
【００４７】
先端部本体２にはライトガイド口金孔部８ｅと先端部本体２の外周面を貫通するねじ穴２７が設けられている。ねじ穴２７には止めねじ２８が螺合されており、止めねじ２８の先端面はライトガイド口金７ｅの外周面に圧接して、ライトガイド口金７ｅをライトガイド口金孔部８ｅの内周面に押し付けており、ライトガイド口金７ｅは先端部本体２に固定されている。照明レンズ枠４ｅの外周面と照明レンズ枠孔部５ｅの内周面の間には、第１の実施形態と同様にシール剤が塗布されている。また、図１７に示すように、ライトガイド口金孔部８ｅには基端側から照明レンズ枠孔部５ｅに貫通する通過溝２９が設けられている。
【００４８】
したがって、照明レンズ枠４ｅはライトガイド口金７ｅに凸部１０ｅと係止溝部２０ｅとの嵌合によって連結され、照明レンズ枠４ｅはシール剤によって回転を規制され、ライトガイド口金７ｅは止めビス２８によって回転を規制されているため、照明レンズ枠４ｅとライトガイド口金７ｅの連結が外れることがなく、照明レンズ枠４ｅが照明レンズ枠孔部５ｅの先端側へ抜けることがない。
【００４９】
先端部本体２に照明レンズ枠４ｅ及びライトガイド口金７ｅを組み立てる際は、まず、照明レンズ枠４ｅの外周面に弱い接着力を有するシール剤を塗布した後、照明レンズ枠４ｅを照明レンズ枠孔部５ｅの先端側より挿入し、溝部５８の基端側開口が通過溝２９の照明レンズ枠孔部５ｅへの開口と相対するように照明レンズ枠４ｅを配置する。
【００５０】
この状態でライトガイド口金孔部８ｅの基端側より凸部１０ｅを通過溝２９に挿通させながら、ライトガイド口金７ｅをライトガイド口金孔部８ｅに挿入する。凸部１０ｅが通過溝２９から溝部５８に挿通され、溝部５８の先端に達した所で止めビス２８によってライトガイド口金７ｅの位置を固定する。次に照明レンズ枠４ｅを回転させて凸部１０ｅを係止溝部５９に嵌挿する。この状態で前記シール剤を硬化させる。
【００５１】
照明レンズ枠４ｅを先端部本体２から取り外す際には、第１の実施形態と同様にして、照明レンズ枠４ｅを回転させてシール剤による接着を破壊すると共に、凸部１０ｅと係止溝部５９の嵌合を外して、凸部１０ｅを溝部５８を位置させて、照明レンズ枠４ｅを先端側に引き抜く。再び照明レンズ枠４ｅを先端部本体２に組み付ける際には先端側より、照明レンズ枠孔部５ｅに挿入し上記と同様にライトガイド口金７ｅと連結する。
【００５２】
本実施形態によれば、照明レンズ枠４ｅが先端側へ抜ける虞はなく、また、照明レンズ枠４ｅの先端部本体２への固定のためにねじや強固な接着力を有する接着剤を用いていないため、第１の実施形態と同様にして安全で、安価で挿入性が良く、修理費が安価な内視鏡装置を提供できる。
【００５３】
また、照明光学部材３が破損した際には、照明レンズ枠４ｅの先端部本体２からの取り外し及び新たな照明レンズ枠４ｅの照明レンズ枠孔部５ｅへの挿通が照明レンズ枠孔部５ｅの先端側から行えるため、第１の実施形態と同様にして修理費が安価な内視鏡装置を提供できる。
【００５４】
尚、ライトガイド口金７ｅと先端部本体２との固定は第１の実施形態と同様なピンにて固定しても良い。
図１８は第６の実施形態を示し、第５の実施形態と同一構成部分は同一番号を付して説明を省略する。第５の実施形態とはライトガイド口金７ｅの構成が異なる。すなわち、図１８に示すようにライトガイド口金孔部８ｅの内径は、照明レンズ枠４ｅの外径よりも小さく形成されている。ライトガイド口金７ｆの基端側にはライトガイド口金孔部８ｅの内径よりも大きな外径を有する、フランジ部３０が設けられている。
【００５５】
第５の実施形態と同様に照明レンズ枠４ｅとライトガイド口金７ｆは連結されている。この状態においてフランジ部３０の先端面は先端部本体２の基端面に当接している。また、照明レンズ枠４ｅの基端面は、内径の異なる照明レンズ枠孔部５ｅとライトガイド口金孔部８ｅの間に形成される段差部３１に当接している。
【００５６】
したがって、連結された照明レンズ枠４ｅとライトガイド口金７ｆは照明レンズ枠４ｅの基端面と段差部３１の当接により基端側へ抜けてしまうことがなく、フランジ部３０と先端部本体２の基端面の当接により、先端側へ抜けてしまうことがない。
【００５７】
本実施形態によれば、第５の実施形態の効果に加え、ライトガイド口金７ｆの固定にねじ等の他の部品を使用しないため、安価であり、ねじ穴の加工が不要なため、先端部本体２を安価に形成できる。また、ライトガイド６の破損により、ライトガイド６及びライトガイド口金７ｆの交換を行ってもねじがねじ孔に繰り返し着脱されることによって生じるねじ山が潰れる等の不具合がないため、繰り返し先端部本体２を使用できるため、更に部品費等に起因する修理費の安価な内視鏡装置を提供できる。
【００５８】
図１９（ａ）および図１９（ｂ）は、第６の実施形態の変形例を示す。図１９（ａ）に示すように、照明レンズ枠４ｍの基端側には雌ねじ部７８が設けられている。一方、ライトガイド口金７ｍの先端側には雄ねじ部７９が設けられている。照明レンズ枠４ｍとライトガイド口金７ｍは雌ねじ部７８と雄ねじ部７９が係合することにより互いに連結される。
【００５９】
図１９（ｂ）に示すように、ライトガイド口金７ｍの先端部本体２より基端側の位置にはねじ部８０が設けられている。ねじ部８０にはナット部材７４が係合している。ナット部材７４を締め込むことにより連結された照明レンズ枠４ｍとライトガイド口金７ｍは先端部本体２の基端側へ付勢され、照明レンズ枠４ｍは先端部本体２に当接して先端部本体２に固定されており、照明レンズ枠４ｍ及びライトガイド口金７ｍと先端部本体２との軸方向のがたつきを防止している。
【００６０】
図２０および図２１は第７の実施形態を示し、第６の実施形態と同一構成部分は同一番号を付して説明を省略する。図２０、図２１に示すように、ライトガイド口金７ｇの内径は照明レンズ枠４ｇの外径を略同一であり、照明レンズ枠４ｇの基端側の一部がライトガイド口金７ｇに嵌挿されている。照明レンズ枠孔部５ｇの内径はライトガイド口金７ｇの外径より小さく形成されている。ライトガイド口金７ｇには第５の実施形態における照明レンズ枠４ｅの溝部５８、係止溝部５９と同様な溝部５８ｇ、係止溝部５９ｇが設けられている。
【００６１】
一方、照明レンズ枠４ｇには第５の実施形態におけるライトガイド口金７ｅの凸部１０ｅと同様な凸部１０ｇが設けられており、第５の実施形態と同様にして照明レンズ枠４ｇとライトガイド口金７ｇは連結されている。この状態において、ライトガイド口金７ｇの先端面は、照明レンズ枠４ｇとライトガイド口金孔部８ｇの間の段差部３１に当接している。また、照明レンズ枠４ｇには照明レンズ枠孔部５ｇの内径よりも大きな外径のフランジ部３０ｇが設けられている。
【００６２】
一方、先端部本体２ｇには照明レンズ枠孔部５ｇの内径よりも大きな内径の太径部３２が設けられており、フランジ部３０ｇの基端面は、照明レンズ枠孔部５ｇと太径部３２の間の段差部３３に当接している。
【００６３】
したがって、連結された照明レンズ枠４ｇとライトガイド口金７ｇは、照明レンズ枠４ｇのフランジ部３０ｇと段差部３３との当接により、基端側へ抜けてしまうことがなく、ライトガイド口金７ｇの先端面と段差部３１との当接により、先端側へ抜けてしまうことがない。
【００６４】
本実施形態によれば、照明レンズ枠４ｇが先端側へ抜ける虞はなく、ライトガイド口金７ｇが基端側へ抜けて照明ができず、観察不能になることがないため安全である。
【００６５】
また、照明レンズ枠４ｇとライトガイド口金７ｇと先端部本体２との固定にねじや強固な接着力を有する接着剤を用いていないため、第６の実施形態と同様に安全で安価で挿入性が良く、修理費が安価な内視鏡装置を提供できる。
【００６６】
図２２に第８の実施形態を示し、第１の実施形態と同一構成部分には同一番号を付して説明を省略する。第１の実施形態とは照明レンズ枠４及びライトガイド口金７と先端部本体２との固定方法が異なる。先端部本体２は先端側に設けられた樹脂にて形成された樹脂部７３と基端側に設けられた金属にて形成された金属部７３ａから形成されている。
【００６７】
先端部本体２は樹脂部７３ａをインサート物とするインサート成形によって樹脂部７３と樹脂部７３ａが一体に形成される。照明レンズ枠孔部５ｈは樹脂部７３に設けられ、ライトガイド口金孔部８ｈは樹脂部７３ｂに設けられている。ライトガイド口金孔部８ｈは照明レンズ枠孔部５ｈよりも太径に形成されており、照明レンズ枠孔部５ｈとライトガイド口金孔部８ｈの間には段差部３１ｈが形成されている。
【００６８】
また、照明レンズ枠４ｈの基端にはフランジ部３４が設けられている。フランジ部３４の先端面は段差部３１ｈに当接している。先端部本体２にはねじ孔２７が設けられており、ねじ孔２７には止めねじ２８が螺合されており、止めねじ２８による押圧によってライトガイド口金７ｈは先端部本体２に固定されている。
【００６９】
照明レンズ枠４ｈと外周と照明レンズ枠孔部５ｈの内周の間には、比較的強固な接着力を有さず被着体から容易に除去可能な液状シリコン等のシール剤が塗布されている。また、照明レンズ枠４ｈの基端とライトガイド口金７ｈの先端は当接して設けられている。
【００７０】
したがって、フランジ部３４と段差部３１ｈとの当接により照明レンズ枠４ｈは先端側への移動を規制されており、先端側へ抜けてしまうことがない。また、ライトガイド口金７ｈは止めねじ２８によって固定されているため、照明レンズ枠４ｈはライトガイド口金７ｈとの当接によって基端側への移動を規制されており、基端側に抜けてしまうことがない。
【００７１】
本実施形態によれば、照明レンズ枠４ｈが先端側へ抜けてしまう虞がなく、また照明レンズ枠４ｈが基端側へ抜けてしまうことがないため、観察不能になることがない。照明レンズ枠４ｈと先端部本体２の固定のために、ねじや強固な接着力を有する接着剤を用いていないため、第１の実施形態と同様にして安全で安価で挿入性が良く、修理費が安価な内視鏡装置を提供できる。
【００７２】
図２３および図２４に第９の実施形態を示し、第８の実施形態とは照明レンズ枠４ｈのフランジ部３４の形状とライトガイド口金孔部８ｈの形状が異なる。先端部本体２はポリサルホン等の樹脂より形成されている。
【００７３】
照明レンズ枠４ｉの基端側には外周方向に向かって凸部３５が設けられている。ライトガイド口金孔部８ｉにはライトガイド口金孔部８ｉの軸方向の全長に亘って前記凸部３５が挿通可能な溝部３６が設けられている。溝部３６の先端側と照明レンズ枠孔部５ｉの間には段差部３１ｉが形成されている。
【００７４】
照明レンズ枠４ｉの凸部３５の先端面は段差部３１ｉに当接している。先端部本体２にはライトガイド口金孔部８ｉと先端部本体２の外周面を貫通するピン穴３７が設けられている。ライトガイド口金７ｉの先端側のピン穴３７と対向する位置には、ライトガイド口金７ｉのその他の外径よりも小さな外径を有するピン溝３８が設けられている。
【００７５】
このピン溝３８の幅はピン穴３７の内径と略同一に形成されている。ピン穴３７及びピン溝３８にはピン穴３７の内径と略同一の外径を有する樹脂にて形成された係止ピン３９が嵌入されている。係止ピン３９の外周面とピン穴３７の内周面との間には弱い接着力を有し、被着体から容易に除去可能なシール剤が塗布されている。また、照明レンズ枠４ｉの基端とライトガイド口金７ｉの先端は当接して設けられている。
【００７６】
したがって、フランジ部３４ｉと段差部３１ｉの当接により照明レンズ枠４ｉの先端側への移動を規制しており、照明レンズ枠４ｉが先端側へ抜けることがない。また、係止ピン３９はピン穴３７とピン溝３８に嵌入されてライトガイド口金７ｉと先端部本体２とを係止し、ライトガイド口金７ｉの移動を規制している。照明レンズ枠４ｉはライトガイド口金７ｉとの当接により、基端側への移動を規制されており基端側に抜けてしまうことがない。
【００７７】
本実施形態によれば、第８の実施形態の効果に加え、段差部３１ｉとの当接部を凸部３５とし、ライトガイド口金孔部８ｉに溝部３６を設けたため、ライトガイド口金孔部８ｉの内径を照明レンズ枠孔部５ｉの内径を略同一に形成できる。したがって、第８の実施形態に比較してライトガイド口金孔部８ｉの内径を小さくできるため、先端部本体２を細径化できる。
【００７８】
また、先端部本体２とライトガイド口金７ｉとの固定を係止ピン３９にて行っており、ねじを使用していないため、第１の実施形態と同様に照明レンズ枠４ｉやライトガイド口金７ｉの交換を行う際に繰り返し先端部本体２を使用できる。よって、更に挿入性が良く、修理費が安価な内視鏡装置を提供できる。
【００７９】
図２５〜図２９に第１０の実施形態を示し、第１の実施形態と同一構成部分には同一番号を付して説明を省略する。図２５〜図２７に示すように、ライトガイド口金孔部８ｊには先端部本体２の外周より切り欠き５６が設けられており、図２５に示す矢印の方向に弾性変形可能な係止部５３が設けられている。
【００８０】
ライトガイド口金７ｊの外周には係止溝５４が設けられている。係止部５３は自然状態においては、図２５、図２６に示すように、ライトガイド口金７ｊの係止溝５４と係合し、弾性変形させた状態においては図２８に示すように、係止部５３の内側の空間がライトガイド口金７ｊの外径よりも大きな形状となるように形成されている。
【００８１】
係止部５３はライトガイド口金７ｊの係止溝５４に係合されており、先端部本体２の基端側外周には図示しない湾曲部との接続管１６が外嵌されている。接続管１６は図２９に示すように、ピン５７によって先端部本体２に係止されている。係止部５３の外周側の形状と接続管１６の内周側の形状とは略同一に形成されている。
【００８２】
したがって、ライトガイド口金７ｊを先端部本体２に組み付ける際にはライトガイド口金孔部８ｊの基端側よりライトガイド口金７ｊを挿入していくと、係止部５３は図２８のように変形し、ライトガイド口金７ｊを挿通することができる。ライトガイド口金７ｊの係止溝５４が係止部５３に位置すると係止部５３は弾性変形状態から自然状態に図２６のように変化して係止部５３が係止溝５４に係合することにより、ライトガイド口金７ｊの軸方向の移動を規制する。接続管１６は係止部５３の変形を規制しており、係止部５３と係止溝５４の係合が外れることがない。このため、ライトガイド口金７ｊに軸方向の力が加わった場合でもライトガイド口金７ｊの位置は変わることがない。
【００８３】
本実施形態によれば、ライトガイド口金７ｊが基端側に抜けてしまうことがないため、観察不能になることがなく安全である。
また、ライトガイド口金７ｊと先端部本体２との脱着は先端部本体２から接続管１６を外してライトガイド口金７ｊを引く抜く、または押し込むだけであるので、ライトガイド６が破損した際にはライトガイド６及びライトガイド口金７ｊの交換が容易である。また、ライトガイド口金７ｊと先端部本体２との固定のためにねじや接着力の強固な接着剤を使用していないため、第２の実施形態と同様の効果が得られる。また、係止部５３の変形の規制を接続管１６にて行う構成としたため、変形の規制を行うための別の部材が不要なため、安価であり、細径である。
【００８４】
照明レンズ枠４ｊには切り欠き部７５が設けられている。照明レンズ枠孔部５ｊの外周の１部には先端部本体２の外周と連通した軸方向に長い溝部７６が設けられている。照明レンズ枠４ｊは図示しない、ねじやピン等の係止手段や、接着等によって先端部本体２に係止されている。
【００８５】
先端部本体２から照明レンズ枠４ｊを取り外す際には、治具７７を溝部７６に挿通し溝部７６に嵌入した後、治具７７を先端側へ引き、照明レンズ枠４ｊを先端側へ引き出す。上記構成においては、先端部本体２の先端側から照明レンズ枠４ｊを容易に取り外すことができるため、照明光学部材３の破損の際の照明光学部材３及び照明レンズ枠４ｊの交換作業が容易である。また、被覆ゴム部材１５の内側に溝部７６を設けているため、溝部７６から照明レンズ枠孔部５ｊ内に体液等が侵入することがない。
【００８６】
尚、本実施形態における先端部本体２とライトガイド口金７ｊとの固定方法を先端部本体２と照明レンズ枠４ｊの固定に適用しても良い。
また、本実施形態では係止部５３の弾性変形の規制を接続管１６で行っているが、他の環状部材等を接続管１６とは別に設けても良い。また、係止部５３の形状は弾性変形可能であればどの様な形状でもかまわない。
【００８７】
尚、この発明における照明光学枠及びライトガイド枠の先端部本体への固定のための構成は、体腔内を観察するための対物レンズ等の対物光学部材を保持するための対物光学枠や、観察像を接眼部に伝達するイメージガイドの端部を保持するためのイメージガイド枠の先端部本体への固定のための構成に適用しても良い。
【００８８】
また、ビデオスコープにおける、観察像を受光する固体撮像素子を保持する撮像素子枠の先端部本体への固定のための構成に適用しても良い。
要は内視鏡装置の挿入部の先端に設けられた先端部本体と上述したような光学部材を保持する光学枠部材を有し、先端部本体に光学枠部材の少なくとも一部を収納する孔部とを有し、光学枠部材に係止部を設け、先端部本体や、先端部本体に収納保持される他の光学枠部材に前記係止部と係合する係合部を設けた構成ならば良い。
【００８９】
図３０および図３１に第１１の実施形態を示し、第１の実施形態と同一構成部分には同一番号を付して説明を省略する。先端部本体２はポリサルホン等の樹脂から成り、モールド成形によって形成されている。先端部本体２には肉厚が例えば０．１ｍｍ程度の薄肉のパイプから形成された照明光学部材収納パイプ６０と図示しない対物レンズとこれを保持する対物レンズ枠が収納される照明光学部材収納パイプ６０と同様の薄肉のパイプから形成された観察光学部材収納パイプ６１とが設けられている。
【００９０】
また、図示しないチャンネルチューブが接続される薄肉のパイプから形成されたチャンネルパイプ６２と図示しない送気、送水チューブが接続される薄肉のパイプから形成された送気・送水パイプ６３が設けられている。照明光学部材収納パイプ６０、観察光学部材収納パイプ６１、チャンネルパイプ６２、送気・送水パイプ６３はそれぞれ他のパイプと当接している。照明光学部材収納パイプ６０、観察光学部材収納パイプ６１、チャンネルパイプ６２、送気・送水パイプ６３は先端部本体２の成形の際にこれらのパイプをインサート物としたインサート成形によって先端部本体２と一体化されている。これらのパイプは絶縁のため、先端部本体２の先端面に露出しないように形成されている。上記構成によれば各パイプによって形成される各穴の間隔は最小０．２ｍｍ程度に形成できるため、先端部本体２を使って細径にかつ安価に形成できる。また、各穴の寸法精度を良好に形成できる。
【００９１】
照明光学部材収納パイプ６０には照明レンズ枠４ｋが収納されている。照明レンズ枠４ｋの基端側にはライトガイド口金７ｋの先端部が挿通されている。また、照明光学部材収納パイプ６０、照明レンズ枠４ｋ、先端部本体２にはそれぞれピン穴６４ａ、６４ｂ、６４ｃが設けられている。
【００９２】
ピン６５には、照明レンズ枠係止部６６とライトガイド口金係止部６７が設けられている。ピン６５は樹脂や弾性を有する金属で形成されている。照明レンズ枠係止部６６はピン穴６４ａ、６４ｂ、６４ｃに嵌入され、ライトガイド口金係止部６７はライトガイド口金７ｋの太径部６８に当接しており、照明レンズ枠４ｋ及びライトガイド口金７ｋを先端部本体２に係止している。
【００９３】
先端部本体２の基端側には接続管１６が外嵌されており、ピン６５がピン穴６４ａ、６４ｂ、６４ｃから抜けるのを防止している。
以上の構成によれば、照明レンズ枠４ｋ及びライトガイド口金７ｋと先端部本体２との固定を１つのピンで行うため、安価である。また、照明レンズ枠４ｋに先端への抜け止めのためのフランジ部等を設けなくて良いため、先端部本体２を細径化できる。
【００９４】
また、先端部本体２が破損した際には、ピン６５を外して照明レンズ枠４ｋの基端を先端側から押せば、照明光学部材３を破損することなく、先端部本体２から照明レンズ枠４ｋを取り外せるため、照明光学部材３及び照明レンズ枠４ｋを再度使用することができる。また、ピン６５が先端部本体２の基端側に露出しているため、ピン６５の取り外しの作業が容易である。
【００９５】
図３２に第１２の実施形態を示し、第１の実施形態と同一構成部分には同一番号を付して説明を省略する。先端部本体２のライトガイド口金孔部８ｌにはライトガイド口金７ｌが嵌挿されている。先端部本体２にはピン穴６９が設けられている。ライトガイド口金７ｌには先端部本体２の基端よりも基端側にフランジ部７０が設けられている。ピン７１には先端部本体係止部７２とライトガイド口金係止部７３が設けられている。
【００９６】
先端部本体係止部７２はピン穴６９に嵌入され、ライトガイド口金係止部７３はフランジ部７０の基端側に当接し、ライトガイド口金７ｌを先端部本体２に係止している。
【００９７】
上記構成においては、ライトガイド口金７ｌとピン７１との係止部であるフランジ部７０がライトガイド口金７ｌのライトガイド口金孔部８ｌに嵌入されない部位に設けられているため、ライトガイド口金７ｌのライトガイド口金孔部８ｌに嵌入される部位を細径にできるため、先端部本体２を細径に形成できる。
【００９８】
また、ピン７１は樹脂や弾性を有する金属で形成されており、ピン穴６９とフランジ部７０の基端面との間隔ａと先端部本体係止部７２と樹脂部７３の間隔ｂとはａ≧ｂなる関係となるように形成されている。ピン７１は弾性変形した状態でライトガイド口金７ｌを先端側に付勢しており、照明光学部材３とライトガイド６とは当接している。以上の構成によれば、照明光学部材３とライトガイド６とが当接しているため、照明光をライトガイド６から照明光学部材３に効率良く導光できるので照明光を明るくすることができる。
【００９９】
以上述べた各実施の形態によれば、次の構成が得られる。
（付記１）  挿入部の先端に設けられた先端部本体と、この先端部本体に設けられ光学部材を保持する光学枠部材と、前記先端部本体に設けられ前記光学枠部材の少なくとも一部を収納する孔部と、前記光学枠部材に設けられた係止部と、前記先端部本体の近傍に設けられ前記光学枠部材が前記孔部に挿入された状態で前記係止部と係合する係合部とを具備したことを特徴とする内視鏡装置。
【０１００】
（付記２）  前記先端部本体の少なくとも一部が樹脂にて形成されていることを特徴とする付記１記載の内視鏡装置。
（付記３）  前記係合部を前記先端部本体に設けたことを特徴とする付記１または２記載の内視鏡装置。
（付記４）  第１の光学枠部材と第２の光学枠部材を有し、どちらか一方に係止部を設け、他の一方に前記係合部を設けたことを特徴とする付記１または２記載の内視鏡装置。
（付記５）  照明光を照射するための照明光学部材を保持するための照明光学枠と、前記照明光学部材に照明光を導光するためのライトガイドを保持するライトガイド枠とを有し、前記照明光学枠またはライトガイド枠のどちらか一方に前記係止部を設け、他の一方に前記係合部を設けたことを特徴とする付記１，２，４のいずれかに記載の内視鏡装置。
【０１０１】
（付記６）  体腔内を観察するための対物光学部材を保持するための対物光学枠と、前記対物光学部材からの観察像を伝送するイメージガイドを保持するイメージガイド枠を有し、前記対物光学枠またはイメージガイド枠のどちらか一方に係止部を設け、他の一方に前記係合部を設けたことを特徴とする付記１，２，４のいずれかに記載の内視鏡装置。
（付記７）  体腔内を観察するための対物光学部材を保持するため、対物光学枠と前記対物光学部材からの観察像を撮影するための撮像素子を保持する撮像素子枠を有し、これらのどちらか一方に係止部を設け、他の一方に前記係合部を設けたことを特徴とする付記１，２，４のいずれかに記載の内視鏡装置。
（付記８）  前記係止部は外径方向に突出した少なくとも１つの凸部であり、前記先端部本体の孔部の近傍に前記凸部が挿通可能な溝部を設けたことを特徴とする付記１〜７のいずれかに記載の内視鏡装置。
【０１０２】
（付記９）  照明光を照射するための照明光学部材を保持する照明光学枠に少なくとも１つの凸部を設け、前記先端部本体に前記係合部を設けたことを特徴とする付記１，３または８に記載の内視鏡装置。
（付記１０）  対物光学部材を保持する対物光学枠に少なくとも１つの凸部を設け、先端部本体に係合部を設けたことを特徴とする付記１，３および８のいずれかに記載の内視鏡装置。
（付記１１）  照明光を照射するための照明光学部材を保持する照明光学枠に少なくとも１つの凸部を設け、前記照明光学部材に照明光を導光するためのライトガイドを保持するライトガイド枠に前記係合部を設けたことを特徴とする付記５に記載の内視鏡装置。
【０１０３】
（付記１２）  ライトガイドを保持するライトガイド枠に少なくとも１つの凸部を設け、前記先端部本体に前記係合部を設けたことを特徴とする付記１，３または８に記載の内視鏡装置。
（付記１３）  イメージガイドを保持するイメージガイド枠に少なくとも１つの凸部を設け、前記先端部本体に前記係合部を設けたことを特徴とする付記１，３および８に記載の内視鏡装置。
（付記１４）  観察像を撮像するための撮像素子を保持する撮像素子枠に少なくとも１つの凸部を設け、前記先端部本体に前記係合部を設けたことを特徴とする付記１，３および８に記載の内視鏡装置。
【０１０４】
（付記１５）  ライトガイドを保持するライトガイド枠に少なくとも１つの凸部を設け、照明光学部材を保持する照明光学枠に前記係合部を設けたことを特徴とする付記５記載の内視鏡装置。
（付記１６）  前記先端部本体に前記照明光学枠を収納する照明光学枠収納孔と、前記ライトガイド枠を収納するライトガイド枠収納孔とを有し、このライトガイド枠収納孔を照明光学枠収納孔よりも太径に形成し、ライトガイド枠収納孔と照明光学枠収納孔の移行部に前記係合部を設けたことを特徴とする付記９に記載の内視鏡装置。
【０１０５】
（付記１７）  前記先端部本体に前記照明光学枠を収納する照明光学枠収納孔と、前記ライトガイド枠を収納するライトガイド枠収納孔とを有し、前記照明光学枠収納孔をライトガイド枠収納孔よりも太径に形成し、ライトガイド枠収納孔と照明光学枠収納孔の移行部に前記係合部を設けたことを特徴とする付記１２に記載の内視鏡装置。
（付記１８）  前記照明光学枠の基端側に前記ライトガイド枠を当接して設け、ライトガイド枠と前記先端部本体との間にライトガイド枠と先端部本体とを固定する固定手段を設けたことを特徴とする付記１６記載の内視鏡装置。
【０１０６】
（付記１９）  前記ライトガイド枠収納孔の周囲に第１の細孔を設け、前記ライトガイド枠に第２の細孔を設け、第１の細孔と第２の細孔にピン部材を嵌入し、ライトガイド枠と先端部本体とを固定したことを特徴とする付記１８に記載の内視鏡装置。
（付記２０）  前記ライトガイド枠の先端側に前記照明光学枠を当接して設け、照明光学枠と前記先端部本体との間に照明光学枠と先端部本体とを固定する固定手段を設けたことを特徴とする付記１２に記載の内視鏡装置。
（付記２１）  前記照明光学枠収納孔の周囲に第１の細孔を設け、前記前記照明光学枠に第２の細孔を設け、第１の細孔と第２の細孔にピン部材を嵌入し、照明光学枠と先端部本体とを固定したことを特徴とする付記２０に記載の内視鏡装置。
【０１０７】
（付記２２）  前記照明光学枠の先端側に前記先端部本体の先端側の一部に当接する当接部を設けたことを特徴とする付記１６に記載の内視鏡装置。
（付記２３）  前記先端部本体の一部に照明光学枠の先端部近傍に当接する当接部を設けたことを特徴とする付記１６に記載の内視鏡装置。
（付記２４）  前記当接部は照明光学部材より出射される照明光を遮らない位置に設けたことを特徴とする付記２３に記載の内視鏡装置。
【０１０８】
（付記２５）  前記ライトガイド枠の基端側に前記先端部本体の基端側の一部に当接する当接部を設けたことを特徴とする付記１７に記載の内視鏡装置。
（付記２６）  前記先端部本体の一部にライトガイド枠の基端部近傍に当接する当接部を設けたことを特徴とする付記１７に記載の内視鏡装置。
（付記２７）  前記先端部本体に設けられた光学枠部材を保持する光学枠部材の少なくとも一部を収納する孔部に前記凸部が挿通可能な溝部を形成し、溝部が孔部の途中にて軸方向の変化と共に円周方向に変化していることを特徴とする付記３、９、１２のいずれかに記載の内視鏡装置。
【０１０９】
（付記２８）  前記先端部本体に設けられた光学枠部材を保持する光学枠部材の少なくとも一部を収納する孔部に前記凸部が挿通可能な溝部を形成し、溝部に略直交した前記光学部材に設けられた凸部を係止する係止溝を設けたことを特徴とする付記３、９、１２のいずれかに記載の内視鏡装置。
（付記２９）  前記係止部と前記係合部の係合の外れを防止する外れ防止手段を設けたことを特徴とする付記１〜２８のいずれかに記載の内視鏡装置。
（付記３０）  前記外れ防止手段は前記光学枠部材の回転移動を防止する回転防止手段であることを特徴とする付記２９に記載の内視鏡装置。
【０１１０】
（付記３１）  前記回転防止手段は前記光学枠部材と先端部本体に設けられた光学枠部材を収納する孔部との間に設けられた先端部本体及び光学枠部材の各せん断破壊力よりも小さな接合力を有する接着剤であることを特徴とする付記３０に記載の内視鏡装置。
（付記３２）  前記接着剤はシリコン系接着剤であることを特徴とする付記３１に記載の内視鏡装置。
（付記３３）  前記接着剤はシール剤または充填剤であることを特徴とする付記３１に記載の内視鏡装置。
（付記３４）  前記接着剤はシリコン系シール剤またはシリコン系充填剤であることを特徴とする付記３１に記載の内視鏡装置。
【０１１１】
（付記３５）  前記先端部本体に設けられた前記光学枠部材を収納する孔部の先端側開口と基端側開口との間を気密的または水密的に遮蔽したことを特徴とする付記３１〜３４のいずれかに記載の内視鏡装置。
（付記３６）  前記先端部本体に設けられた前記光学枠部材を収納する孔部の先端側開口と基端側開口の少なくとも一方を気密的または水密的に遮蔽したことを特徴とする付記３１〜３４のいずれかに記載の内視鏡装置。
（付記３７）  照明光学枠とライトガイド枠を有し、どちらか一方に係止部を設け、他の一方に係止部と係合する係合部を設け、照明光学枠とライトガイド枠を着脱自在に接続して設け、照明光学枠とライトガイド枠の何れか一方を前記先端部本体に固定したことを特徴とする付記５に記載の内視鏡装置。
【０１１２】
（付記３８）  照明光学系とライトガイド枠の少なくとも何れか一方を前記先端部本体に固定する固定手段を設けたことを特徴とする付記３７に記載の内視鏡装置。
（付記３９）  照明光学枠に先端部本体の基端方向への移動を規制する第１の抜け止め部を設け、ライトガイド枠に先端部本体の先端側への移動を規制する第２の抜け止め部を設けたことを特徴とする付記３７に記載の内視鏡装置。
（付記４０）  先端部本体に設けられた照明光学枠を収納する照明光学枠収納孔の内径をライトガイド枠の外径よりも小さく形成し、照明光学枠の先端側に先端部本体の先端側と当接する当接部を設けたことを特徴とする付記３９に記載の内視鏡装置。
【０１１３】
（付記４１）  先端部本体に設けられたライトガイド枠を収納するライトガイド収納孔の内径を照明光学枠の外径よりも小さく形成し、ライトガイド枠の基端側に先端部本体の基端側の一部と当接する当接部を設けたことを特徴とする付記３９に記載の内視鏡装置。
（付記４２）  前記当接部は照明光学枠の先端部に設けられた照明光学収納孔の内径よりも太径なフランジ部であることを特徴とする付記４０に記載の内視鏡装置。
（付記４３）  前記当接部はライトガイド枠の先端部に設けられたライトガイド枠収納孔の内径よりも太径なフランジ部であることを特徴とする付記４１に記載の内視鏡装置。
【０１１４】
（付記４４）  前記ライトガイド枠収納孔の周囲に第１の細孔を設け、前記ライトガイド枠に第２の細孔を設け、第１の細孔と第２の細孔にピン部材を嵌入し、ライトガイド枠と先端部本体とを固定するまたは前記照明光学枠収納孔の周囲に第１の細孔を設け、前記照明光学枠に第２の細孔を設け、第１の細孔と第２の細孔にピン部材を嵌入し、照明光学枠と先端部本体とを固定したたことを特徴とする付記３８に記載の内視鏡装置。
【０１１５】
（付記４５）  前記ライトガイド枠収納孔または前記照明光学枠収納孔の何れか一方の周囲にねじ孔を設けねじ孔に螺合させたねじ部材で前記ライトガイド枠または照明光学枠の何れか一方を押圧し、先端部本体に固定したことを特徴とする付記３８に記載の内視鏡装置。
（付記４６）  前記ライトガイド枠と前記照明光学枠の何れか一方の少なくとも一部を他の一方に内嵌させて設けたことを特徴とする付記５または３７に記載の内視鏡装置。
（付記４７）  前記照明光学枠の少なくとも基端側の一部を前記ライトガイド枠に内嵌して設けたことを特徴とする付記４６に記載の内視鏡装置。
【０１１６】
（付記４８）  前記ライトガイド枠の少なくとも先端側の一部を前記照明光学枠に内嵌して設けたことを特徴とする付記４６に記載の内視鏡装置。
（付記４９）  照明光学枠とライトガイド枠の何れか一方に凸部を設け、前記係合部は他の一方に軸方向に形成された前記凸部が挿通可能な縦溝に略直交して連通した横溝であることを特徴とする付記５または３７に記載の内視鏡装置。
（付記５０）  前記係止部と前記係合部の係合の外れを防止する外れ防止手段を設けたことを特徴とする付記３７〜４９に記載の内視鏡装置。
（付記５１）  前記外れ防止手段は前記光学枠部材の回転移動を防止する回転防止手段であることを特徴とする付記５０に記載の内視鏡装置。
【０１１７】
（付記５２）  前記回転防止手段は前記光学枠部材と先端部本体に設けられた光学枠部材を収納する孔部との間に設けられた先端部本体及び光学枠部材の各せん断破壊力よりも小さな接合力を有する接着剤であることを特徴とする付記５１に記載の内視鏡装置。
（付記５３）  前記回転防止手段は照明光学枠とライトガイド枠との間に設けられた照明光学枠とライトガイド枠の各せん断破壊力よりも小さな接合力を有する接着剤であることを特徴とする付記５１に記載の内視鏡装置。
（付記５４）  前記接着剤はシリコン系接着剤であることを特徴とする付記５２または５３に記載の内視鏡装置。
（付記５５）  前記接着剤はシール剤又は充填剤であることを特徴とする付記５２または５３に記載の内視鏡装置。
（付記５６）  前記接着剤はシリコン系シール剤又はシリコン系充填剤であることを特徴とする付記５２または５３に記載の内視鏡装置。
【０１１８】
（付記５７）  前記先端部本体に設けられた前記光学枠部材を収納する孔部の先端側開口と基端側開口との間を気密的又は水密的に遮蔽したことを特徴とする付記５２〜５６に記載の内視鏡装置。
（付記５８）  前記先端部本体に設けられた前記光学枠部材を収納する孔部の先端側開口と基端側開口の少なくとも一方を気密的又は水密的に遮蔽したことを特徴とする付記５２〜５６に記載の内視鏡装置。
【０１１９】
（付記５９）  前記光学枠部材は照明光を照射するための照明光学部材を保持する照明光学枠であり、前記孔部は照明光学枠を収納する照明光学枠収納孔であり、前記係止部は照明光学枠に設けられた先端部本体の先端側への抜け止め部であり、前記係合部は前記抜け止め部と当接する照明光学枠収納孔に設けられた当接部であり、照明光学枠の基端に照明光学部材に照明光を導光するためのライトガイドを保持するライトガイド枠と、ライトガイド枠を収納するライトガイド枠収納孔を有し、ライトガイド枠と先端部本体とを固定する固定手段を設けたことを特徴とする付記１〜３のいずれかに記載の内視鏡装置。
【０１２０】
（付記６０）  前記照明光学枠の基端に前記照明光学枠収納孔の内径よりも太径に形成されたフランジ部を設けたことを特徴とする付記５９に記載の内視鏡装置。
【０１２１】
（付記６１）  前記抜け止め部は照明光学枠の外周に設けられた少なくとも一つの凸部であり、前記ライトガイド枠収納孔に基端側に開口を有し先端側に前記凸部と当接する当接部を有し前記凸部が挿通可能な溝部を設けたことを特徴とする付記５９記載の内視鏡装置。
（付記６２）  前記先端部本体は先端側に設けられた樹脂にて形成された樹脂部と基端側に設けられた金属にて形成された金属部とからなり、前記照明光学枠収納孔を樹脂部に設けたことを特徴とする付記５９〜６１のいずれかに記載の内視鏡装置。
【０１２２】
（付記６３）  前記ライトガイド枠収納孔の周囲に第１の細孔を設け、前記ライトガイド枠に第２の細孔を設け、第１の細孔と第２の細孔にピン部材を嵌入し、ライトガイド枠と先端部本体とを固定したことを特徴とする付記５９〜６２のいずれかに記載の内視鏡装置。
（付記６４）  前記ライトガイド枠収納孔の周囲にねじ孔を設け、ねじ孔に螺合させたねじ部材で前記ライトガイド枠を押圧し、先端部本体に固定したことを特徴とする付記５９〜６２のいずれかに記載の内視鏡装置。
（付記６５）  前記係合部は孔部に設けられた弾性変形可能な弾性変形部であることを特徴とする付記１，２，３のいずれかに記載の内視鏡装置。
【０１２３】
（付記６６）  前記弾性変形部は凸部を有し、前記光学枠部材に設けられた係止部は外周に設けられた凹部であることを特徴とする付記６５に記載の内視鏡装置。
（付記６７）  前記弾性変形部の変形を規制する規制部材を設けたことを特徴とする付記６５または６６に記載の内視鏡装置。
（付記６８）  前記規制部材は前記弾性変形部に外嵌した環状部材であることを特徴とする付記６７に記載の内視鏡装置。
【０１２４】
（付記６９）  前記環状部材は先端部本体の基端側に設けられた湾曲部と先端部本体とを連結する接続管であることを特徴とする付記６８に記載の内視鏡装置。
（付記７０）  前記光学枠部材はライトガイドを保持するライトガイド枠であることを特徴とする付記６５〜６８のいずれかに記載の内視鏡装置。
【０１２５】
【発明の効果】
以上説明したように、この発明によれば、ねじのスペースを必要としないため、構造が簡素であるため内視鏡を細径化でき、体腔内等への挿入性の向上を図れる。また、固定に接着剤を使用しないため、照明レンズ枠やライトガイド口金を先端部から容易に着脱できるものである。特に、照明レンズ枠やライトガイド口金を先端部本体に係脱可能に保持させる、もしくは、照明レンズ枠やライトガイド口金とを係脱自在にして先端部本体に保持させることで、取り外しの際の容易性が図れ、修理の際の分解が容易であり、光学枠部材、先端部本体を繰り返し使用でき、安価な内視鏡装置を提供できる。
【図面の簡単な説明】
【図１】この発明の第１の実施形態を示す内視鏡の先端部の縦断側面図。
【図２】同実施形態の照明レンズ枠の斜視図。
【図３】図１のＡ−Ａ線に沿う断面図。
【図４】図１のＢ−Ｂ線に沿う断面図。
【図５】この発明の第２の実施形態を示す内視鏡の先端部の縦断側面図。
【図６】同実施形態のライトガイド口金の斜視図。
【図７】図５のＣ−Ｃ線に沿う断面図。
【図８】図５のＤ−Ｄ線に沿う断面図。
【図９】同実施形態の先端部本体の斜視図。
【図１０】同実施形態の先端部本体の縦断側面図。
【図１１】同実施形態の先端部本体の縦断側面図。
【図１２】この発明の第３の実施形態の先端部本体と照明レンズ枠の斜視図。
【図１３】この発明の第４の実施形態の先端部本体とライトガイド口金の固定方法を示す側面図。
【図１４】同実施形態の先端部本体とライトガイド口金の固定方法を示す斜視図。
【図１５】この発明の第５の実施形態を示す内視鏡の先端部の縦断側面図。
【図１６】同実施形態の照明レンズ枠とライトガイド口金の固定方法を示す斜視図。
【図１７】図１５のＥ−Ｅ線に沿う断面図。
【図１８】この発明の第６の実施形態を示す内視鏡の先端部の縦断側面図。
【図１９】（ａ）（ｂ）はこの発明の第６の実施形態の変形例を示す内視鏡の先端部の縦断側面図。
【図２０】この発明の第７の実施形態を示す内視鏡の先端部の縦断側面図。
【図２１】同実施形態の照明レンズ枠とライトガイド口金の固定方法を示す斜視図。
【図２２】この発明の第８の実施形態を示す内視鏡の先端部の縦断側面図。
【図２３】この発明の第９の実施形態を示す内視鏡の先端部の縦断側面図。
【図２４】図２３のＦ−Ｆ線に沿う断面図
【図２５】この発明の第１０の実施形態を示す内視鏡の先端部の縦断側面図。
【図２６】図２５のＧ−Ｇ線に沿う断面図。
【図２７】図２５のＨ−Ｈ線およびＩ−Ｉ線に沿う断面図。
【図２８】同実施形態の作用説明図。
【図２９】同実施形態の先端部本体の縦断側面図。
【図３０】この発明の第１１の実施形態を示す内視鏡の先端部の縦断側面図。
【図３１】同実施形態の先端部本体の横断面図。
【図３２】この発明の第１２の実施形態を示す内視鏡の先端部の縦断側面図。
【符号の説明】
１…先端部
２…先端部本体
３…照明光学部材
４…照明レンズ枠
５…照明レンズ枠孔部
６…ライトガイド
７…ライトガイド口金
８…ライトガイド口金孔部
９…溝部
１０…凸部
１１ａ…抜け止め部
【図１】
0003869496.tif 000002
【図２】
0003869496.tif 000003
【図３】
0003869496.tif 000004
【図４】
0003869496.tif 000005
【図５】
0003869496.tif 000006
【図６】
0003869496.tif 000007
【図７】
0003869496.tif 000008
【図８】
0003869496.tif 000009
【図９】
0003869496.tif 000010
【図１０】
0003869496.tif 000011
【図１１】
0003869496.tif 000012
【図１２】
0003869496.tif 000013
【図１３】
0003869496.tif 000014
【図１４】
0003869496.tif 000015
【図１５】
0003869496.tif 000016
【図１６】
0003869496.tif 000017
【図１７】
0003869496.tif 000018
【図１８】
0003869496.tif 000019
【図１９】
0003869496.tif 000020
【図２０】
0003869496.tif 000021
【図２１】
0003869496.tif 000022
【図２２】
0003869496.tif 000023
【図２３】
0003869496.tif 000024
【図２４】
0003869496.tif 000025
【図２５】
0003869496.tif 000026
【図２６】
0003869496.tif 000027
【図２７】
0003869496.tif 000028
【図２８】
0003869496.tif 000029
【図２９】
0003869496.tif 000030
【図３０】
0003869496.tif 000031
【図３１】
0003869496.tif 000032
【図３２】
0003869496.tif 000033